【手続補正書】
【提出日】平成30年5月7日(2018.5.7)
【手続補正１】
【補正対象書類名】明細書
【補正対象項目名】発明の名称
【補正方法】変更
【補正の内容】
【発明の名称】揚水式アクアリウム装置
【手続補正２】
【補正対象書類名】明細書
【補正対象項目名】００２７
【補正方法】変更
【補正の内容】
【００２７】
鑑賞用の水槽としては、何も面白いことは起こらない。
飼育者は、それ以上に厄介な問題、水路と貯水室の壁に発生する苔の問題に悩まされる。
悪いことに、水路も貯水室も密閉されているため、掃除道具を入れることができないので掃除をすることができないのである。
【手続補正３】
【補正対象書類名】明細書
【補正対象項目名】００３１
【補正方法】変更
【補正の内容】
【００３１】
天敵が少ない安全な水域への移動、より多くの餌が食べられる水域へ移動、他を寄せ付けない縄張り行動、適した水温への移動行動、などが可能となり、魚たちは、夜の居場所、昼間の居場所を変えることもできる。いつでも何処へでも行きたいところへ行け、ストレスの少ない、かつて棲んでいた本来の自然環境に近い場所で生活することができるようになった。
水路の水の流れにより、上流域水槽と中流域水槽、下流域水槽が形成され、水棲生物は、上流へ、或いは、下流へと移動行動をとることができるようになった。
これは従来の単一水槽では困難であった。  
本発明の揚水技術を使えば、大気圧で１０メートルもの高さまで水を揚げることができるので、従来は困難であった視線より高い場所への水槽設置が容易にできるようになった。
サイホンの原理で、大気圧が押し上げる水柱の高さは、垂直距離で約１０メートル。
水平距離は、サイホンパイプの長さ、スペースが許す範囲で２０メートルでも１００メートルでも可能である。
水流の速さは、ポンプのパワーと水路パイプの大きさによって変わるが、サイホンパイプの長さには、殆ど制限がなく、その中を移動する魚の行動範囲は、垂直・水平方向に飛躍的に拡がることになった。
この発明「空中アクアリウム」「空中水族館」の効果をまとめると次のようになる。
【手続補正４】
【補正対象書類名】明細書
【補正対象項目名】００６１
【補正方法】変更
【補正の内容】
【００６１】
水槽の実施例（図４）
アクアリウムの基本構成要素の１つである、水槽について説明する。
専門機能を持った水槽の例（１３種）
（１）淡水の水槽１５１
（２）海水の水槽１５２
（３）プクプク泡で酸素を供給する水槽１５３
（４）ヒーターやクーラーで適温を供給する水槽１５４
（５）水棲生物を供給する水槽１５５
（６）大量の水をプールする水槽１５６
（７）水草の生い茂る水槽１５７
（８）岩場を提供する水槽１５８
（９）石場を提供する水槽１５９
（１０）砂場を提供する水槽１６０
（１１）泥沼を提供する水槽１６１
（１２）光を遮断し暗い場所を提供する水槽１６２
（１３）水深の深い水槽（図に描かれていない）
を例としてあげることができる。
【手続補正５】
【補正対象書類名】明細書
【補正対象項目名】００８８
【補正方法】変更
【補正の内容】
【００８８】
滝壺の中を好む魚、速い流れを好む魚、岩場を好む魚、砂地を好む魚、生い茂った水草を好む魚、泥の中を好むものなど、様々である。
水棲生物は、淡水の魚類、貝類、水生昆虫、トンボのヤゴ、ゴカイ、水草、コケ類、藻草、など様々。
海水魚に至っては、イソギンチャク、クマノミ、・・・といった具合に多種多様である。
この実施例では、淡水の自由温度ゾーン、境界ゾーン、海水の自由温度ゾーンと、淡水の２６度熱帯魚ゾーン、境界ゾーン、海水の２６度熱帯魚ゾーンの５ゾーンが作られている。
水流ポンプは、各ゾーン内の水を循環させ、ゾーン間では水の循環はないように、接続配置されている。
【手続補正６】
【補正対象書類名】明細書
【補正対象項目名】００９０
【補正方法】変更
【補正の内容】
【００９０】
また、境界部の水は静止しているので、淡水と海水が混ざり合うことはないので塩分濃度が変化することもない。熱帯魚に必要な水温が下がることもない。
淡水魚・熱帯魚・海水魚たちは、汽水域ゾーンを介して、淡水域ゾーン・汽水域ゾーン・海水域ゾーンを行き交う、１つの繋がった水槽群の中で一緒に飼育し、鑑賞することができる。
【手続補正７】
【補正対象書類名】明細書
【補正対象項目名】００９４
【補正方法】変更
【補正の内容】
【００９４】
例えば、水槽１９には、イソギンチャクの付着した岩場を設けておき、クマノミを水槽１７にいれておくと、クマノミは水槽１９に移動し、イソギンチャクの傍から離れないようになる。
水棲生物は、かつて自然界にいたときに棲んでいた環境に近い環境の水槽を選んでそこに棲むことができるようなる。
水路パイプの掃除を掃除屋と呼ばれる魚貝類に任せるアクアリウムの実施例
（図１０）
例えば、１００匹の金魚の水槽の掃除を、他の水槽に居るプレコ達掃除屋を呼び寄せてコケ掃除させる方法の例である。
【手続補正８】
【補正対象書類名】明細書
【補正対象項目名】００９５
【補正方法】変更
【補正の内容】
【００９５】
ガラス水槽、特に透明な貯水室やパイプ水路は、コケ除去掃除が必要不可欠である。
透明な貯水室や透明パイプ水路に付着する苔や垢は、鑑賞用水槽としては致命傷となってしまう。密閉されとおり、人手では掃除できないからである。
しかし、本発明は、掃除屋用水槽、つまり掃除屋と呼ばれるプレコや石巻貝用の水槽を設けておくことを可能にする。
【手続補正９】
【補正対象書類名】明細書
【補正対象項目名】０１０８
【補正方法】変更
【補正の内容】
【０１０８】
排気装置３１１は、貯水室内部と連通する排気弁３１１１と着脱可能な手動ピストン式排気ポンプ３１１２で構成される。
排気ポンプは、図１に示すような電気モーター式の真空掃除機５も使われる。
保守者は、手動ピストン式排気ポンプ３１１２のピストンを上下させ、貯水室３１に残留する空気を抜く、排気弁３１１１の弁の働きで排気された空気の逆流が阻止される。
残留空気の抜き取りが終わった後は、排気ポンプ３１１２は取り外すことができるので、排気装置としては、小さな排気弁３１１１だけが残ることになりスッキリする。
【手続補正１０】
【補正対象書類名】明細書
【補正対象項目名】０１０９
【補正方法】変更
【補正の内容】
【０１０９】
液状化空中給餌装置の実施例（図１３）
次は、餌を液状化して大気圧で流し込む空中給餌装置について説明する。
本発明は、空中での給餌を成功させるために餌を液状化する方法を採用している。
【手続補正１１】
【補正対象書類名】明細書
【補正対象項目名】０１１０
【補正方法】変更
【補正の内容】
【０１１０】
給餌装置３１２は、漏斗状容器３１２１と給餌用コック３１２２で構成されている。餌３１４を漏斗状容器３１２１の上から注ぎ、その後で水３１５を注いで、容器３１２１の中で餌３１４を水３１５で溶かして液状化し、給餌用コック３１２２の操作「短時間オープンし、すぐにクローズする開閉操作」で漏斗状容器から貯水室に落とし込む。正確には大気圧の力で液状化した餌を貯水室３１、３２に流し込むわけである。
空中給餌の発明は、餌を水に混ぜて液状化させるところがポイントだと云える。
【手続補正１２】
【補正対象書類名】明細書
【補正対象項目名】０１４３
【補正方法】変更
【補正の内容】
【０１４３】
１００・・・・・・・・・・・・自動水位調整機構付きバッファプール水槽
１０１・・・・・・・・・・・・・・バッファプール水槽に蓄えられる水
１０２・・・・・・・・・・・・・・基準水位水槽
１０３・・・・・・・・・・・・・・基準水位水槽の水
１０３’・・・・・・・・・・・・・基準水位水槽の水面レベル
１０３”・・・・・・・・・・・・・基準水位水槽をオーバーした水
１０８・・・・・・・・・・・・・・設置台
１０９・・・・・・・・・・・・・・自動水位調整機構
【手続補正１３】
【補正対象書類名】明細書
【補正対象項目名】０１４４
【補正方法】変更
【補正の内容】
【０１４４】
１１、１２、１３・・・・・・・・・水槽
１１３、１２３、１３３・・・・・・水槽の水
１１４、１２４・・・・・・・・・・水槽の水面レベル（基準水面）
１１５、１２５・・・・・・・・・・水槽の水面に働く圧力（大気圧）
１５１・・・・・・・・・・・・・・水槽（淡水の水槽）
１５２・・・・・・・・・・・・・・水槽（海水の水槽）
１５３・・・・・・・・・・・・・・水槽（酸素を供給する水槽）
１５４・・・・・・・・・・・・・・水槽（ヒーターもしくはクーラーで適温を供給する水槽）
１５５・・・・・・・・・・・・・・水槽（魚貝類など水棲生物を供給する水槽）
１５６・・・・・・・・・・・・・・水槽（大量の水をプールする水槽）
１５７・・・・・・・・・・・・・・水槽（水草の生い茂る水槽）
１５８・・・・・・・・・・・・・・水槽（岩場を提供する水槽）
１５９・・・・・・・・・・・・・・水槽（石場を提供する水槽）
１６０・・・・・・・・・・・・・・水槽（砂場を提供する水槽）
１６１・・・・・・・・・・・・・・水槽（泥沼を提供する水槽）
１６２・・・・・・・・・・・・・・水槽（暗闇を提供する水槽）